(57)【要約】【課題】蓄電容量と開放電圧特性がフラットな電池系では、蓄電状態が中間の領域では蓄電池セル間に蓄電容量のバラツキが起きても、認識することが難しい。また、各々の蓄電池セルに対して電圧推移をサンプリングする方法は記憶容量が膨大となり、実用的ではなかった。【解決手段】蓄電容量の増加に対して電圧が追従して上昇する電圧特性を持つ複数の蓄電池セルにより構成された組蓄電池の容量劣化蓄電池セル群の検出方法であって、蓄電容量の増加に対して電圧が追従して上昇する電圧領域内で定められた上限電圧に前記組蓄電池のいずれかの蓄電池セルが達するまで充電し、充電後の全蓄電池セル電圧を検出し、前記全蓄電池セル電圧に基づき相対的に蓄電池セル電圧の高い蓄電池セル群を検出する。また、前記蓄電池セル群に対して容量劣化蓄電池セル群を優先して冷却風分配する容量劣化抑制制御を行う。【選択図】図１
2011095023.tif 000002
【特許請求の範囲】
【請求項１】
蓄電容量の増加に対して電圧が追従して上昇する電圧特性を持つ複数の蓄電池セルにより構成された組蓄電池の容量劣化蓄電池セル群の検出方法であって、
蓄電容量の増加に対して電圧が追従して上昇する電圧領域内で定められた上限電圧に前記組蓄電池のいずれかの蓄電池セルが達するまで充電し、
充電後の全蓄電池セル電圧を検出し、前記全蓄電池セル電圧に基づき相対的に蓄電池セル電圧の高い蓄電池セル群を検出することを特徴とする容量劣化蓄電池セル群の検出方法。
【請求項２】
前記蓄電池セル群に対して、容量劣化蓄電池セル群を優先して冷却風分配する容量劣化抑制制御を行うことを特徴とする請求項１記載の容量劣化蓄電池セル群の検出方法。
【請求項３】
前記容量劣化蓄電池セル群を優先して冷却風分配する容量劣化抑制制御において、角度が可変の整流板を備えたことを特徴とする請求項２記載の容量劣化蓄電池セル群の検出方法。
【請求項４】
前記容量劣化蓄電池セル群を優先して冷却風分配する容量劣化抑制制御において、開閉もしくは移動が可変のスリットを備えたことを特徴とする請求項２記載の容量劣化蓄電池セル群の検出方法。
【請求項５】
前記充電が家庭用電源を用いたプラグイン充電であることを特徴とする請求項１乃至請求項４のいずれか一項に記載の容量劣化蓄電池セル群の検出方法。
【請求項６】
前記上限電圧に前記組蓄電池のいずれかの蓄電池セルが達した後、前記上限電圧に達した蓄電池セルが前記上限電圧を維持するように充電を行い、充電電流値が所定の電流値以下となるまで充電を行った後に全蓄電池セルの電圧を検出することを特徴とする請求項１乃至請求項５のいずれか一項に記載の容量劣化蓄電池セル群の検出方法。
【請求項７】
前記組蓄電池の容量劣化蓄電池セル群の検出方法は急速充電器が接続されたときには行わないことを特徴とする請求項１乃至請求項６のいずれか一項に記載の容量劣化蓄電池セル群の検出方法。
【請求項８】
前記組蓄電池の容量劣化蓄電池セル群の検出方法は所定の温度より低いときには行わないことを特徴とする請求項１乃至請求項７のいずれか一項に記載の容量劣化蓄電池セル群の検出方法。
【請求項９】
前記組蓄電池の容量劣化セル群の検出方法は所定の時期の時間帯には行わないことを特徴とする請求項１乃至請求項７のいずれか一項に記載の容量劣化蓄電池セル群の検出方法。
【請求項１０】
家庭用電源を用いたプラグイン充電を行う電気自動車において、
蓄電池セル群からなる組蓄電池に電気を充電する充電装置と、
前記組蓄電池における前記蓄電池セル群の電圧を検出する電圧検出装置と、
冷却風を分配する容量劣化抑制装置と、を備え、
前記充電装置と前記電圧検出装置によって、前記組蓄電池を蓄電容量の増加に対して電圧が追従して上昇する電圧領域内で定められた上限電圧に前記組蓄電池のいずれかの蓄電池セルが達するまで充電し、前記上限電圧に前記組蓄電池のいずれかの蓄電池セルが達した後、前記上限電圧に達した蓄電池セルが前記上限電圧を維持するように充電を行い、
前記電圧検出装置と前記容量劣化抑制装置によって、前記組蓄電池における前記蓄電池セル群に対して、容量劣化蓄電池セル群を優先して冷却風分配する容量劣化抑制制御を行うことを特徴とする蓄電池セル群容量劣化抑制制御装置。
【発明の詳細な説明】
【技術分野】
【０００１】
本発明は、電気自動車に搭載される駆動用電池に関する。
【背景技術】
【０００２】
近年、環境対策、および燃費向上のために電気自動車（ＥＶ：Electric Vehicle）、ハイブリッド車（ＨＥＶ：Hybrid Electric Vehicle）、プラグイン車（ＰＨＥＶ：Plug-in Hybrid Electric Vehicle）、さらには燃料電池自動車（ＦＣＥＶ：Fuel Cell Electric Vehicle）等が注目をあびている。
これらにおいて、重要な技術的要点のひとつは車に搭載する駆動用電池、および、その充電を含めた制御方法である。前記自動車においては数百Ｖといった高い電圧、かつ大容量での充放電可能な二次電池として蓄電池が必要であり、複数の蓄電池セルを組み合わせた組蓄電池から構成される。数多くの蓄電池セルを搭載することになるので、蓄電池セル間において特性のバラツキが生ずる。複数の蓄電池セルを直列に接続して組み合わせた場合における組蓄電池としての特性は、最も特性の悪い、もしくは劣化した蓄電池セルの特性が支配的となるので、蓄電池セル間の特性のバラツキが重要な問題となる。
また、前記電気自動車の商品性としては航続距離（電費）が重視される。この航続距離を伸ばすためには、蓄電池の様々な特性においても、特に組蓄電池、およびそれを構成する複数の蓄電池セルの蓄電容量特性は勿論のこと、その蓄電容量特性のバラツキを抑制することが重要となる。
この蓄電容量の特性バラツキは、製造時におけるバラツキもあれば、使用による経時変化で生ずる劣化のバラツキもある。さらに、この劣化は過充電や過放電、あるいは温度管理によって、進行する場合もある。したがって、組蓄電池全体と、それを構成する複数の蓄電池セルの蓄電状態であるＳＯＣ（State of charge ：蓄電量、蓄電容量も表す。）の管理、および、それによる蓄電容量劣化の防止が重要な問題となる。
また、複数の蓄電池セルの蓄電容量バラツキを抑制することは、前記した航続距離（電費）の向上のみならず、早め出力制限の防止、動力性能、寿命向上の観点からも重要な要因である。
この二次電池の劣化状態を検出する従来技術としては特許文献１がある。特許文献１においては充電過程の電池電圧を連続的に計測して記憶する一方、その計測値の特性に基づいて蓄電が１００％行われた状態（ＳＯＣ１００％と表すこともある。）を推定する方法をとっていた。
【先行技術文献】
【特許文献】
【０００３】
【特許文献１】特開２００７−１６６７８９号公報
【発明の概要】
【発明が解決しようとする課題】
【０００４】
蓄電容量−開放電圧特性（ＳＯＣ−ＯＣＶ特性、ＯＣＶ：Open Circuit Voltage 開放電圧）が平坦（フラット）な電池系では、中間ＳＯＣを電圧で算出することが困難なため、中間ＳＯＣ領域では蓄電池セル間にＳＯＣバラツキが起きても、車両（蓄電池ＥＣＵ）は認識することが難しい。したがって、従来技術である特許文献１では充電開始から電圧をサンプリングする必要があって、大きな記憶容量を確保しなくてはならなかった。
特に、複数の蓄電池セルを組み合わせた組蓄電池において、相対的に劣化している蓄電池セルを検出しようとすると、各々の蓄電池セルに対して電圧推移をサンプリングしなくてはならず、記憶容量が膨大になる。
【０００５】
そこで、本発明は前記した問題を解決するためになされたものであり、簡単な構成で容量劣化している蓄電池セル群を導きだすことを目的とする。
【課題を解決するための手段】
【０００６】
前記の目的を達成するために、各発明を以下のような構成にした。
すなわち、請求項１に係る発明の容量劣化蓄電池セル群の検出方法は、蓄電容量の増加に対して電圧が追従して上昇する電圧特性を持つ複数の蓄電池セルにより構成された組蓄電池の容量劣化蓄電池セル群の検出方法であって、蓄電容量の増加に対して電圧が追従して上昇する電圧領域内で定められた上限電圧に前記組蓄電池のいずれかの蓄電池セルが達するまで充電し、充電後の全蓄電池セル電圧を検出し、前記全蓄電池セル電圧に基づき相対的に蓄電池セル電圧の高い蓄電池セル群を検出する。
【０００７】
かかる構成により、直接、蓄電池セルの蓄電池セル電圧の高い蓄電池セル群を検出して低容量の劣化したセル群を検出する。
【０００８】
また、請求項２に係る発明の容量劣化蓄電池セル群の検出方法は、前記蓄電池セル群に対して、容量劣化蓄電池セル群を優先して冷却風分配する容量劣化抑制制御を行う。
【０００９】
かかる構成により、低容量の劣化した蓄電池セル群の劣化の進行を防止する。
【００１０】
また、請求項３に係る発明の容量劣化蓄電池セル群の検出方法は、前記容量劣化蓄電池セル群を優先して冷却風分配する容量劣化抑制制御において、角度が可変の整流板を備える。
【００１１】
かかる構成により、低容量の劣化した蓄電池セル群の劣化の進行を選択的に冷却することによって防止する。
【００１２】
また、請求項４に係る発明の容量劣化蓄電池セル群の検出方法は、前記容量劣化蓄電池セル群を優先して冷却風分配する容量劣化抑制制御において、開閉もしくは移動が可変のスリットを備える。
【００１３】
かかる構成により、低容量の劣化した蓄電池セル群の劣化の進行を選択的に冷却することによって防止する。
【００１４】
また、請求項５に係る発明の容量劣化蓄電池セル群の検出方法は、前記充電が家庭用電源を用いたプラグイン充電である。
【００１５】
かかる構成により、前記充電が家庭用電源を用いたプラグイン充電の際に設定される。
【００１６】
また、請求項６に係る発明の容量劣化蓄電池セル群の検出方法は、前記上限電圧に前記組蓄電池のいずれかの蓄電池セルが達した後、前記上限電圧に達した蓄電池セルが前記上限電圧を維持するように充電を行い、充電電流値が所定の電流値以下となるまで充電を行った後に全蓄電池セルの電圧を検出する。
【００１７】
かかる構成により、最も容量劣化した蓄電池セルを過充電することなく、適正な範囲内の容量まで充電する。
【００１８】
また、請求項７に係る発明の容量劣化蓄電池セル群の検出方法は、急速充電器が接続されたときには行わない。
【００１９】
かかる構成により、急速充電の操作を阻害しない。
【００２０】
また、請求項８に係る発明の容量劣化蓄電池セル群の検出方法は、所定の温度より低いときには行わないことを特徴とする
【００２１】
かかる構成により、低温時の電池の内部抵抗増大による不具合を防止する。
【００２２】
また、請求項９に係る発明の容量劣化蓄電池セル群の検出方法は、所定の時期の時間帯には行わない。
【００２３】
かかる構成により、温度計によらず、時計による計時によって不具合を防止する。
【００２４】
また、請求項１０に係る発明の蓄電池セル群容量劣化抑制制御装置は、家庭用電源を用いたプラグイン充電を行う電気自動車において、蓄電池セル群からなる組蓄電池に電気を充電する充電装置と、前記組蓄電池における前記蓄電池セル群の電圧を検出する電圧検出装置と、冷却風を分配する容量劣化抑制装置と、を備え、前記充電装置と前記電圧検出装置によって、前記組蓄電池を蓄電容量の増加に対して電圧が追従して上昇する電圧領域内で定められた上限電圧に前記組蓄電池のいずれかの蓄電池セルが達するまで充電し、前記上限電圧に前記組蓄電池のいずれかの蓄電池セルが達した後、前記上限電圧に達した蓄電池セルが前記上限電圧を維持するように充電を行い、前記電圧検出装置と前記容量劣化抑制装置によって、前記組蓄電池における前記蓄電池セル群に対して、容量劣化蓄電池セル群を優先して冷却風分配する容量劣化抑制制御を行う。
【００２５】
かかる構成により、容量劣化した蓄電池セルを過充電することなく、組蓄電池における前記蓄電池セル群を充電し、相対的に容量の劣化した蓄電池セル群を優先して冷却するので、さらなる容量劣化の進行を防止する。
【発明の効果】
【００２６】
本発明によれば、簡単な構成で容量劣化している蓄電池セル群を導きだすことができる。
【図面の簡単な説明】
【００２７】
【図１】本発明の実施の形態に係る蓄電池のプラグイン充電の制御フローを示すフローチャートである。
【図２】本発明の実施の形態に係る蓄電池セルの蓄電容量値と電池電圧の関係を示す特性図である。
【図３】本発明の実施の形態に係る蓄電池の充電の工程を示す図である。
【図４】本発明の実施の形態に係る蓄電池の領域毎の温度状態を示す図である。
【図５】本発明の実施の形態に係る蓄電池の領域毎の温度状態を示す図である。
【図６】本発明の実施の形態に係る蓄電池の領域毎に冷却する第１の手法を示す図である。
【図７】本発明の実施の形態に係る蓄電池の領域毎に冷却する第２の手法を示す図である。
【図８】本発明の実施の形態に係る蓄電池を含む電気系統の機能毎のブロック図である。
【図９】本発明の実施の形態に係る蓄電池をプラグイン充電するときの主な電気機器の電気自動車における配置図である。
【図１０】本発明の実施の形態に係る蓄電池セルを充電するときの充電装置と蓄電池セルの概略の関係を示す回路図である。
【発明を実施するための形態】
【００２８】
以下、本発明の実施の形態について詳細に説明する。
図１は本発明の実施形態の蓄電池をプラグイン充電するときの制御の仕方を示すフローチャートである。なお、家庭用電源を用いたプラグイン充電とは一般家庭の電源である１００Ｖもしくは２００Ｖの低容量の電流の電源を用いて行う充電である。
このフローチャートにおいては
（１）蓄電池の充電特性とバラツキ
（２）バラツキのある複数個の蓄電池セルの充電方法
（３）組蓄電池の温度バラツキと特性バラツキ
（４）冷却風と蓄電池セルの温度
（５）冷却風の制御方法（２方式）
等が重要な要点となるので、先にこれらを説明して、その後、再びフローチャートに戻り説明する。
【００２９】
（（１）蓄電池の蓄電特性とバラツキ）
図２は蓄電池を充電する際の特性を示す図であり、横軸は電池の蓄電過程における蓄電容量値を示し、縦軸は電池の電池電圧を示している。蓄電池セルを充電すると、蓄電池セルの蓄電容量は増加していくとともに、開放電圧は上昇していく。（なお、蓄電池の充電においては、充電電圧と、蓄電池の開放電圧は一般的には等しくはない。後記する図３の縦軸は充電電圧である。また、電池に蓄積されるのは電荷量であるが、この電荷量を何アンペア（Ａ）で何時間（ｈ）流せるかという蓄電容量（Ａｈ）で表すのが通例である。また、ほぼ同義語として充電容量という用語もあるが、以下では「蓄電容量」という用語を使用する。）
複数個の蓄電池セルは製造時のバラツキや、使用状態、温度の状態によって特性はバラツキがある。記号◎のポイントの連続線による特性線２０１で表示したものは新品の蓄電池セルで、劣化が殆どないときの特性である。記号○ポイントの連続線による特性線２０２で表示したものは劣化がある程度進んだ蓄電池セルの特性である。特性線２０１を有する新品の蓄電池セルも経時変化などで劣化すると、特性線２０２に特性が移行する。所定の電圧の開放電圧２１０に達する蓄電容量値は新品蓄電池セルの特性線２０１に対して、劣化した蓄電池セルの特性線２０２は少ない蓄電容量値で達している。図２においてはほぼ２目盛りも少ない。
【００３０】
蓄電池セルは充電が進むにつれ、開放電圧（ＯＣＶ：Open Circuit Voltage）は上昇していき、蓄電がほぼ１００％なされた状態において、開放電圧はある特性点で急速に上昇する。また、蓄電できる蓄電容量値が大きい新品の蓄電池セルに対して、劣化のある程度進んだ蓄電池セルは蓄電容量値が少ないため、開放電圧は高く、また急速に上昇を開始することも早めに起こる。これは蓄電できる容量値の劣化が進んだために、少ない蓄電容量値で蓄電容量が満杯状態となったために開放電圧が上昇するのである。
この開放電圧が急に上昇を開始する特性点において蓄電（もしくは充電）が１００％なされた（ＳＯＣ１００％）と見なすこともある。前記したように、蓄電池セルの劣化時はこの急峻な立ち上がりは蓄電容量値が少ない特性点で起こる。
【００３１】
また、記号△のポイントの破線による特性線２０３で表示したものは充電中の特性である。蓄電池セルとしては△で示した特性線２０３のものと、○で示した特性線２０２ものとは同一のものであるが、蓄電池セルの内部抵抗があるため充電に流れる電流値と内部抵抗の積の分（例えば上昇圧分２２３）だけ特性線２０３は高い電圧を示している。また、同一の蓄電池セルに対して、特性線２０２は開放電圧の特性であり、特性線２０３は充電電圧の特性である。したがって、充電を行いながらもこの急峻な立ち上がりの特性点を把握することはできる。いずれにせよ、この急峻な立ち上がりの特性点を捉えてＳＯＣ１００％に近づいたことをつかむのである。
【００３２】
なお、この急峻な立ち上がりの特性を捉えるためには、中間ＳＯＣ領域の開放電圧が平坦であり、かつ高ＳＯＣ領域に急峻な開放電圧の立ち上がりがある蓄電池を使用すると、より効果的である。例えば正極にはＬｉＦｅＰＯ４、負極にはグラファイト系を使用すると、この特性が顕著となる。
ただし、急峻な開放電圧の立ち上がりがあればＳＯＣ１００％が近づいたことは捉えられるので、中間ＳＯＣ領域の開放電圧の特性は必ずしも平坦である必要はない。
【００３３】
（（２）バラツキのある複数個の蓄電池セルの充電方法）
図３（ａ）、（ｂ）は複数個のバラツキのある蓄電池セルを一斉に充電する工程における充電電圧、充電電流、蓄電容量および充電時間の関連を示す図である。
図３（ａ）は各蓄電池セルの充電電圧と蓄電容量、および経過時間の関係を表し、図３（ｂ）は蓄電池セルの充電電流と経過時間の関係を表している。
また、図３（ａ）、（ｂ）の各特性が得られる充電は、図１０に示すように蓄電池セル１０１１〜１０１６を直列にして、直列に接続された両端に充電装置１００１によって電圧を加えて、一括して行う。なお、図１０は図３（ａ）、（ｂ）の各特性がどのような回路構成において、測定されるかの概略を示すものであって、蓄電池セル１０１１〜１０１６の個数や電圧計１０２１〜１０２６の配置は本発明の実施形態と必ずしも一致するものではない。また図１０における充電装置１００１は、本発明の実施形態においては後記する充電器８１３（図８）と接合ボード８１４（図８）に相当している。
【００３４】
図３（ａ）において、縦軸は蓄電池セルに加わる充電電圧を表している。なお、充電電圧は各蓄電池セルの開放電圧と、各蓄電池セルの内部抵抗と蓄電池セルに流れる電流との積で起こる電圧上昇分との和となっている。したがって、縦軸の充電電圧は各蓄電池セルの開放電圧とは異なる。また、各蓄電池セルの特性と状態は一般的にはバラツキがあるので、各蓄電池セルに加わる充電電圧は蓄電池セルごとに若干、異なる。また、横軸は各蓄電池セルの蓄電容量、および充電を開始してからの時間をともに表している。
【００３５】
また、図３（ｂ）の縦軸は充電が行われているときの充電電流を表している。各蓄電池セルは直列に接続されて充電されるので、各蓄電池セルの充電電流はすべて等しい。また、横軸は充電を開始してからの時間を表している。なお、図３（ａ）、（ｂ）において、横軸の充電を開始してからの時間についてはそのまま対応している。
【００３６】
まず、放電して蓄電容量が少なくなった状態の組蓄電池を、充電器８１３（図８）と接合ボード８１４（図８）（充電装置１００１（図１０））を経由して充電を開始する。前記したように、充電は各蓄電池セルを直列にして、直列に接続された両端に電圧を加えて一括して行う。これが図３（ａ）、（ｂ）において、ｔ＝０であり、図３（ａ）におけるポイント３３１である。
また、このときにかける電圧は充電器８１３（図８）と均一化回路を含む接合ボード８１４（図８）（充電装置１００１（図１０））によって、ほぼ所定の充電電流値ＩＥ（図３（ｂ））となるように適正な電圧が調整されて加えられる。各蓄電池セルがそれぞれの蓄電容量を満たしていない間は、各蓄電池セルの開放電圧よりも充分に高い電圧で、かつ望ましくはほぼ一定の電流値ＩＥで充電されるように調整されながら行われる。なお、充電器８１３（図８）と接合ボード８１４（図８）（充電装置１００１（図１０））は前記したように、各蓄電池セルを直列にして、直列に接続された両端に電圧を加えて一括して行うので高い電圧であるが、図３（ａ）では各蓄電池セルに加わる１個あたりの充電電圧を表記している。
【００３７】
この充電過程において、各蓄電池セルは蓄電され、蓄電容量値が増加していくとともに、開放電圧も高くなる。それにしたがって、充電器８１３（図８）と接合ボード８１４（図８）（充電装置１００１（図１０））は充電電圧を上昇させていく。なお、各蓄電池セルのなかで製造上のバラツキや、劣化が進んだ等の理由で、特性は様々である。図３（ａ）では劣化が最も進み充電電圧が高い蓄電池セルの特性３１６と、劣化のあまりなく充電電圧が低い蓄電池セルの特性（線）３１１を例示している。また、この区間を（Ｅ）領域と表す。
【００３８】
やがて、各蓄電池セルのなかで製造上のバラツキや、劣化が進んだ等の理由で、蓄電容量が最も小さく、充電電圧が最も高い（ＶＭＡＸ）特性線３１６を有する蓄電池セルの充電電圧が所定の充電電圧に達する。これは蓄電容量が最も小さい蓄電池セルのＳＯＣが１００％に近づいたことを意味する。ＳＯＣ１００％からさらに充電していくと、さらに蓄電し、ある限界を超えると電解液の分解や活物質の結晶構造変化など反応を誘発して連鎖的に熱が発生して、さらなる電池の劣化を招く。接合ボード８１４（図８）（充電装置１００１（図１０））がこのＶＭＡＸが所定の充電電圧に達したことを検出したら、所定の充電電圧以上の電圧を蓄電池セルにかけないように充電器８１３（図８）と均一化回路を含む接合ボード８１４（図８）（充電装置１００１（図１０））の機能によって、充電電圧を調整する。ここで、「定電圧充電」に移行する。なお、この移行点が図３（ａ）のポイント３３２である。
【００３９】
また、これ以降の区間を（Ｃ）領域と表す。（Ｃ）領域は「定電圧充電」を行う区間と仮称するが、この「定電圧充電」の意味は充電器８１３（図８）と接合ボード８１４（図８）（充電装置１００１（図１０））が高圧の組蓄電池８１１（図８）に定電圧をかけるという意味ではなく、「蓄電容量が最も小さく、充電電圧が最も高い（ＶＭＡＸ）特性線３２６（特性線３１６）を有する蓄電池セルに加わる電圧が所定の充電電圧を保ち続ける」ように調整して電圧をかけるという意味である。
【００４０】
「定電圧充電」の区間である（Ｃ）領域においては、所定の充電電圧以上の電圧を加えることはしない。これは、また図３（ａ）において、特性線３２６に相当してもいる。
しかしながら、蓄電池セルの充電電圧は前記したように、開放電圧と、内部抵抗と蓄電電流の積による電圧上昇分との和であるので、所定の充電電圧と開放電圧とは差があり、所定の充電電圧の「定電圧充電」に移行しても、蓄電電流は少なくなるが、電流は流れ続ける。その電流によって、蓄電容量に余裕がある間は充電を続け、蓄電容量を徐々に増やしていく。それにともない、開放電圧がさらに徐々に上昇し、所定の充電電圧との差が少なくなる分だけ蓄電電流はさらに減少していく。以上が図３(ｂ)のＩｃ（ｔ）の時間とともに減少していく状況を表している。なお、図３（ａ）において、特性線３２６で表した電圧は充電電圧であって、開放電圧は表していない。
【００４１】
充電電圧が最も高い（ＶＭＡＸ）特性線３１６を有する蓄電池セルは、蓄電容量に関して最も劣化が進んだ蓄電池セルであるが、充電電圧が最も低い（ＶＭＩＮ）特性線３１１を有する蓄電池セルは蓄電容量に関して最も劣化が進んでいない蓄電池セルである。このように蓄電容量に関して相対的に小さいものも、大きいものも混在しているが、これらの蓄電池セルはすべて直列に接続されているので、蓄電電流は同一であり、その結果、蓄電容量はすべての蓄電池セルで同じ量が増加していく。これは図３（ａ）、（ｂ）における（Ｅ）領域、（Ｃ）領域でも成立している。各蓄電池セルの劣化による容量特性のバラツキは、この各蓄電池セルをすべて直列に接続した場合において、蓄電される容量が同一であり、その代わりに、開放電圧の差となって表れる。この結果、図３（ａ）の（Ｅ）領域において、充電電圧が最も高い（ＶＭＡＸ）特性線３１６を有する蓄電池セルは（Ｃ）領域において、特性線３２６を示す。また、（Ｅ）領域において、充電電圧が最も低い（ＶＭＩＮ）特性線３１１を有する蓄電池セルは（Ｃ）領域において、特性（線）３２１を示す。また、それらの中間の特性を有する蓄電池セルの各特性を特性線３２２〜３２５と、充電電圧が低い順に表している。
【００４２】
前記したように（Ｃ）領域においても、各蓄電池セルは同一の蓄電電流によって同じ量の蓄電容量が増えていく。各蓄電池セルはこの蓄電容量の増加とともに開放電圧が上昇していくが、（Ｃ）領域では前記した「定電圧充電」であるために、各蓄電池セルの開放電圧の上昇は蓄電電流の減少による内部抵抗との積による内部電圧の減少と相殺して充電電圧としては殆ど変化がない。この状況は（Ｃ）領域の開始であるポイント３３２においても、蓄電電流が減少して殆ど流れなくなるポイント３３３においても同様である。したがって、図３（ａ）に示すように、（Ｃ）領域では各蓄電池セルの特性バラツキはあっても、各蓄電池セルはすべて同じように蓄電容量を徐々に増加していき、各蓄電池セルの充電電圧は（Ｃ）領域の開始であるポイント３３２の電圧をほぼ保ち続ける。以上により、図３（ａ）の（Ｃ）領域の各蓄電池セルの充電電圧−蓄電容量特性、または充電電圧−蓄電時間特性が得られる。
【００４３】
図３（ａ）の（Ｃ）領域において、充電電圧が最も高い（ＶＭＡＸ）特性線３２６を有する蓄電池セルが、僅かであっても蓄電電流を流し続けて、蓄電容量を徐々に増加し、開放電圧が上昇し、ついに所定の充電電圧に到達すると、電圧差はなくなるので、蓄電電流は流れなくなる。なお、所定の電流値ＩＳ以下になることで「蓄電電流は流れなくなる」と判定する。なお、これ以降の区間を（Ｓ）領域とする。
この結果、直列に接続された各蓄電池セルはすべて蓄電電流が流れなくなる。図３（ａ）の（Ｃ）領域における特性線３２１〜３２５の各蓄電池セルは蓄電容量に余力を残しているが、「定電圧充電」では、もはや蓄電容量は増加しない。このときの特性線３２１〜３２６の特性をそれぞれ有する各蓄電池セルの蓄電容量は、すべて、ほぼ同じ容量である。つまり、最も蓄電容量の小さい、いわば最も劣化した蓄電池セルと同一の蓄電容量しか確保できていない。
【００４４】
以上から、複数個の蓄電池セルを直列に接続して組蓄電池として用いる場合には最も劣化した蓄電池セルの蓄電容量特性が支配的となるので、最も劣化が進みつつある蓄電池セルの検出と管理が重要であり、かつ、それ以上の劣化の防止策が必要となる。
なお、組蓄電池とは前記したように複数個の蓄電池セルを直列に接続して構成したものであるが、このように構成した組蓄電池を複数個用いて、さらに組み合わせ、より蓄電池セルの数の多い組蓄電池を構成することもある。このような場合において、どちらも組蓄電池と称することにする。
【００４５】
ちなみに、劣化が進んで蓄電容量値が少なく、かつ開放電圧や充電電圧が高い蓄電池セルに充電をつづけた場合は、劣化が少なくて蓄電容量値が大きく、かつ開放電圧や充電電圧が低い蓄電池セルの場合と比較すると、温度上昇が起こりやすくなっている。したがって、劣化が進んだ蓄電池セルがさらなる劣化を防ぐためにも、冷却して温度上昇を避けることが望ましい。
また、（Ｓ）領域の状態において、蓄電容量値が大きく、劣化の進んでいない蓄電池セルは（Ｓ）領域にいたっても、蓄電容量に余裕があり、かつ開放電圧も低い。（Ｓ）領域において、劣化の進んだ単体セル電池と進んでいない蓄電池セルにおいては、開放電圧において、差が生じている。したがって、劣化の進んだ蓄電池セルを見つけ、対処するために、全蓄電池セル毎の電圧検出を行う。
なお、劣化の進んでいない蓄電池セルは、蓄電容量に余裕を残したまま使用することになるが、蓄電池セルを直列にして用いる際には、最も劣化の進んだ蓄電池セルの特性が支配的になるので、劣化の進んだ蓄電池セルに対して優先的に処置をするのが最も効果的である。
【００４６】
（（３）組蓄電池の温度バラツキと特性バラツキ）
組蓄電池に複数個の蓄電池セルを配置して使用したときに、負荷が多くなるにしたがって蓄電池の温度は上昇する。このとき周囲からファンによって冷却風を送った場合においても、冷却風がよく当たる場所と、当たりにくい場所とが生ずるために、組蓄電池内の各蓄電池セル間に温度のバラツキが生じる。したがって、このような状態で使用していると初期はほぼ同じ特性の蓄電池セルであっても、長い間には劣化の度合いも異なり、蓄電容量値等において、特性のバラツキが生ずる。そして、冷却方法に特に工夫がなされなければ、このバラツキは次第に大きくなる。前記したように、蓄電池セルを直列にして組蓄電池とする場合には最も劣化した蓄電池セルの特性が支配的になるので、前記特性バラツキが大きな影響を及ぼす。なお、蓄電池セルには丸型電池や角型電池等の形状の差異もあるが、前記した温度バラツキや特性バラツキが生じるという状況はいずれの場合でも同じように起こる。
【００４７】
（（４）冷却風と蓄電池セルの温度）
図４は組蓄電池４０に複数個の蓄電池セル４６Ａ、４６Ｂを配置し、かつ各蓄電池セルのＳＯＣや劣化の状態が異なる状況において、組蓄電池４０に冷却風を当てた場合の冷却効果の状況を組蓄電池４０の上面から見た模式図として示している。
組蓄電池４０はダクト４５のなかに配設され、ダクト４５の間から冷却風４１が複数個の蓄電池セル４６Ａ、４６Ｂに供給され、排気４２となってダクト４５の外部へと換気されている。なお、支持体４７によって、各蓄電池セル４６Ａ、４６Ｂは固定されている。
複数個の蓄電池セル４６Ａ、４６Ｂは電気的に直列に接続され、組蓄電池４０を構成していて、各蓄電池セルの特性や劣化の状況がほぼ同じ場合は、充電電流（蓄電電流でもある。）が同一なので、充電の際における各蓄電池セルの発熱の状態はほぼ同じである。
【００４８】
以上の状況において、図４に示した各蓄電池セルの配置では冷却風４１は中央に位置した蓄電池セル４６Ａに当たりやすく、端に位置した蓄電池セル４６Ｂに当たりにくい。したがって、蓄電池セル４６Ａは「よく冷える」ので蓄電池セルの特性は劣化が少ない。また、蓄電池セル４６Ｂは逆に冷えにくいので蓄電池セルの特性は劣化が進みやすい。
なお、図４は模式図であって、蓄電池セル４６Ａ、４６Ｂの個数や、ダクト４５の形状は様々にとりうる。
【００４９】
図５は図４と同じ構成の組蓄電池４０に複数個の蓄電池セル４６Ａ、４６Ｂを配置した場合の領域を、エリア１（５１）、エリア２（５２）、エリア３（５３）と分けた例を示している。冷却風の当たり具合が各蓄電池セルを設置する場所によって変わり、それによって対処の仕方が変わるならば、各蓄電池セルの設置場所を番号等で識別されるエリアという観点で検知や管理することが効果的である。
【００５０】
図５と図４において、組蓄電池４０、蓄電池セル４６Ａ、４６Ｂ、ダクト４５、支持体４７、冷却風４１、排気４２は同一のものを表しているので、さらなる説明は省略する。図５において、符号５１、５２、５３はそれぞれエリア１、エリア２、エリア３を表している。また、温度計５４１、５４２、５４３はそれぞれエリア１、エリア２、エリア３の温度を必要に応じて計測するものであり、各エリアの温度を検知する際に用いる。
後記するように、蓄電池セル電圧の検出や、冷却風を当てる場合において、エリアに分け、エリア毎に電圧の平均値をだし、高い電圧を示しているエリアを集中的に冷却することが効果的である。
【００５１】
なお、エリア１、２、３との間に隔壁を設ける場合もあり、またエリアとしての認識は分けて行うが、特に隔壁は設けない場合もある。
なお、図５は模式図であって、エリアの分け方やエリア数、また温度計の個数や設置位置は様々にとりうる。
【００５２】
（（５−１）冷却風の第１の制御方法、可変整流板方式）
図６（ａ）、（ｂ）は冷却風の第１の制御方法を示す図である。図６（ａ）、（ｂ）において、組蓄電池４０、蓄電池セル４６Ａ、４６Ｂ、ダクト４５、支持体４７、冷却風４１、排気４２は図４、図５と同一のものを表しているので、さらなる説明は省略する。
図６（ａ）、（ｂ）においては組蓄電池４０を納めたダクト４５内で、整流板６９（６９Ａ、６９Ｂ）で冷却風４１を制御する方式を示している。
【００５３】
図６（ａ）は特に制御をしない通常時を示し、整流板６９（６９Ａ）は冷却風４１に対して作用しない向きとなっている。したがって、冷却風４１は中央に位置した蓄電池セル４６Ａに当たりやすく、端に位置した蓄電池セル４６Ｂに当たりにくい。その結果、蓄電池セル４６Ａは「よく冷える」ので、蓄電池セル４６Ａの特性は劣化が少ない。また、蓄電池セル４６Ｂは逆に冷えにくいので、蓄電池セル４６Ｂの特性は劣化が進みやすい状態である。
【００５４】
図６（ｂ）は整流板６９（６９Ｂ）をある程度、開いた状態にしている。その結果、冷却風４１は端の方に位置する蓄電池セル４６Ｂに当たりやすく、中央に位置した蓄電池セル４６Ａには当たりにくくなっている。これは全蓄電池セルの電圧を検出して、端の方に位置する蓄電池セル４６Ｂの方が相対的に劣化が進んでいると判定された場合に、蓄電池セル４６Ｂに冷却風が当たりやすくするように制御した場合を示している。
なお、整流板６９（６９Ａ、６９Ｂ）の角度により、冷却風が当たりやすい位置は変えることができる。また、整流板６９（６９Ａ、６９Ｂ）の枚数や形状、あるいは設置位置は様々にとりうる。
【００５５】
（（５−２）冷却風の第２の制御方法、スリット開閉方式）
図７は冷却風４１の第２の制御方法を示す図である。図７において、組蓄電池４０、蓄電池セル４６Ａ、４６Ｂ、ダクト４５、支持体４７、冷却風４１、排気４２は図４、図５、図６と同一のものを表しているので、さらなる説明は省略する。
図７において、組蓄電池４０の側面に複数個からなるスリット７９を設けている。スリット７９を開閉するか、もしくはどの位置に移動するかによって、冷却風４１の流れ方が変わり、重点的に冷却する蓄電池セルを選択する制御方式となっている。
なお、スリット７９の枚数や形状、あるいは設置位置は様々にとりうる。
【００５６】
（本実施形態における蓄電池の充電方法のフローチャート）
図１のフローチャートの説明に必要な蓄電池の特性や充電方法あるいは冷却風の制御方法等を前記（１）から（６）で個別に概略を説明したので、再び、図１に戻り、本発明の実施形態の電池を充電するときの制御の仕方を示すフローチャートについて説明する。
このフローチャートにしたがって、家庭用電源を用いたプラグイン充電が行われる。
［０］まず、車の充電口に充電器具が接続されることから開始される（ステップＳ０）。
【００５７】
［１］充電器具が接続されたときに、家庭用電源を用いたプラグイン充電か、専用機器を用いた急速充電かを、接続器具の規格、形状から判定する（ステップＳ１）。
なお、前記したように、家庭用電源を用いたプラグイン充電とは一般家庭の電源である１００Ｖもしくは２００Ｖの低容量の電流の電源を用いて行う充電である。これに対して、急速充電とは家庭用電源とは別の専用の機器を用いて行うものである。蓄電池に対しては、家庭用電源を用いたプラグイン充電に比較して、高い電圧をかけ、大きな電流で短時間に充電を完了させるために行う急速な充電方式である。
ステップＳ１においては、急速充電と判定された場合（Ｎｏ）は以下のプラグイン充電は行わず、フロー処理を終了する。
また、ステップＳ１においてプラグイン充電のための充電器具が充電口に接続されたと判定された場合（Ｙｅｓ）には、ステップＳ２に進む。
【００５８】
［２］ステップＳ２では組蓄電池８１１（図８）を充電器８１３（図８）と接合ボード８１４（図８）によって適正な電圧で充電を開始する。したがって組蓄電池を構成する各蓄電池セルに対して一斉に充電を開始する。各蓄電池セルは充電されるにしたがい、それぞれ蓄電容量は増加し、かつ開放電圧が高まっていく。
【００５９】
［３］各蓄電池セルのなかで最も劣化した蓄電池セルは開放電圧、あるいは充電電圧が最も先に高くなっていく。そして、各蓄電池セルのなかで最も高い充電電圧ＶＭＡＸのセルが所定の充電電圧に到達しているか否かを判定する（ステップＳ３）。なお、この判定は充電器８１３（図８）と接合ボード８１４（図８）によって行う。
到達していなければ（Ｎｏ）、前記した充電を続ける。到達したならば（Ｙｅｓ）、ステップＳ４に進む。
【００６０】
［４］各蓄電池セルのなかで最も高い充電電圧ＶＭＡＸの蓄電池セルが、所定の充電電圧に到達したときには、この蓄電池セルはすでに蓄電容量がＳＯＣ１００％に近づいたことを意味している。それ以上、同じような方法で充電を続けると、最も高い充電電圧ＶＭＡＸの蓄電池セルは温度上昇が激しくなるとともに、蓄電池セルの劣化が促進される。
したがって、最も高い充電電圧ＶＭＡＸの蓄電池セルの充電電圧を、前記所定の充電電圧を維持するような「定電圧充電」に切り替える（ステップＳ４）。
【００６１】
［５］所定の充電電圧を維持した「定電圧充電」を続けていくと、各蓄電池セルの各開放電圧と、「定電圧充電」における各蓄電池セルの各充電電圧には差があるので、充電電流（蓄電電流）はある程度、引き続き流れる。やがて、各蓄電池セルの開放電圧は高まり、「定電圧充電」における各蓄電池セルに加わった各充電電圧に近づくので、充電電流（蓄電電流）は減少していく。最も劣化し、最も高い充電電圧ＶＭＡＸを持つ蓄電池セルがほぼＳＯＣ１００％になったときに、蓄電電流（充電電流）はほぼ０に近づく。実際にはその判定基準として、充電電流を所定電流値と比較する（ステップＳ５）。
所定電流値に到達していなければ（Ｎｏ）、前記した「定電圧充電」を続ける。到達したならば（Ｙｅｓ）、ＳＯＣ１００％に達したとして、ステップＳ６に進む。
【００６２】
［６］充電を終了し、各蓄電池セル、もしくはエリア別の蓄電池セルの温度（ＴＢＡＴ）を温度計５４１〜５４３（図５）等で検出する（ステップＳ６）。
【００６３】
［７］各蓄電池セル、もしくはエリア別の蓄電池セルのなかで最も温度が低いセルの温度をＴＢＡＴＭＩＮとして、ＴＢＡＴＭＩＮと所定の温度とを比較する（ステップＳ７）。
ＴＢＡＴＭＩＮと所定の温度とを比較して、ＴＢＡＴＭＩＮが所定の温度より低くなっていれば（Ｎｏ）、外気の温度が非常に低く、蓄電池セルの内部抵抗が異常に高くなっている可能性が高い。すると、以下のステップＳ８以降のフロー処理において、誤判定と、それによる誤処理をする可能性が高くなるので、ステップＳ８以降のフローには進まず、全体のフロー処理を終了する。
また、ＴＢＡＴＭＩＮと所定の温度とを比較して、ＴＢＡＴＭＩＮが所定の温度より高ければ（Ｙｅｓ）、外気の温度に起因する誤判定の可能性は少ないとして、次のステップＳ８へと進む。
【００６４】
［８］全蓄電池セルの電圧を検出する（ステップＳ８）。なお、これは全蓄電池セルの特性劣化の状況を把握するためである。そして、次のステップＳ９に進む。
【００６５】
［９］ステップＳ８で検出した各蓄電池セル電圧を冷却エリア毎に平均処理を行う（ステップＳ９）。そして、次のステップＳ１０に進む。
【００６６】
［１０］蓄電池セル電圧のエリア最低値とエリア毎の平均値を比較する処理を行う（ステップＳ１０）。そして、次のステップＳ１１に進む。
【００６７】
［１１］ステップＳ１０で得た、蓄電池セル電圧のエリア最低値とエリア毎の平均値との比較の処理において、所定値以上の差が有るか否かの判定を行う（ステップＳ１１）。
所定値以上の差がなければ（Ｎｏ）、容量劣化抑制制御を新たに調整する必要がないと判断して、全体のフロー処理を終了する。
所定値以上の差があれば（Ｙｅｓ）、次のステップＳ１２に進む。
【００６８】
［１２］所定の差以上のエリアを検出して、検出電圧が高いエリア（領域）には多くの冷却風が供給され、検出電圧が低いエリア（領域）には供給が少なくともよいように流路を変更する（ステップＳ１２）。これは蓄電池セルの電圧が高いものは劣化が進んでいるとして、優先的に冷却することによって、さらなる劣化を防止、もしくは少なくするためのものである。
以上で、全体のフロー処理を終了する。
【００６９】
以上のフローチャートは、劣化している蓄電池セルを検出して、エリアを分けながら、劣化の進んでいるものを優先して、集中的に冷却する制御方式である。
以上を行うことにより、劣化した蓄電池セルのさらなる劣化の進行を防ぎつつ、余力のある蓄電池セルの冷却は簡略化することによって、特性、性能の均等化を図る。したがって、電気自動車を使用する過程において、蓄電池セルのＳＯＣバラツキが低減されていくと考えられる。
【００７０】
なお、プラグイン充電を行うときに、充電器の定格条件（電圧、電流）によって、蓄電池がＳＯＣ１００％付近まで充電できないときは、ＶＭＡＸ等の検知を行わない。これは車両制御としてＳＯＣ１００％まで充電する仕様が前提であるからである。
【００７１】
また、前記フローチャートにおけるステップＳ６において、各蓄電池セルの温度、もしくはエリア毎の蓄電池セル温度を測定し、ステップＳ７において、最も低い蓄電池セル温度が所定の温度以下であるか否かを判定している。このステップＳ６、Ｓ７が必要である理由を補足説明する。これは、季節によっては外気温の影響により、電池温度が非常に低く（例えば冬において、０℃以下の状態）なり、蓄電池の内部抵抗が異常に高くなるときがある。この場合は各蓄電池セルの劣化の状態による特性差よりも、各蓄電池セルのそのときの温度による電池の内部抵抗の差によって、ステップＳ８以降の蓄電池セルの電圧による劣化の判定がなされることがあり、判定を誤る可能性が高くなる。したがって、ステップＳ６、Ｓ７によって、最も蓄電池セル温度が低いものが所定の温度よりも低いと判定された場合には、蓄電池セルの電圧では誤判定の可能性が高いとして、ステップＳ８以降には進まず、蓄電池セルの検出を行わず、全体のフロー処理を終了する。
【００７２】
また、ステップＳ８以降には進まず、蓄電池セルの検出を行わない条件としては、前記した温度を直接計測する方法のみならず、寒冷時の明け方など、あらかじめ低温が予測される場合には時間帯によって蓄電池セルの電圧検出を行わない方式をとることがある。
【００７３】
（本実施形態における高圧の組蓄電池を含む電気系統）
図８は本実施形態における高圧の組蓄電池８１１を含む電気系統の機能ブロック図である。高圧の組蓄電池８１１は、複数の蓄電池セルが直列に接続されていて、高電圧の入出力を行う組蓄電池となっている。プラグ入力器８１２は１００Ｖもしくは２００Ｖの低蓄電容量の家庭用電源９０３（図９）から電源プラグ９０２（図９）を挿入されて１００Ｖもしくは２００Ｖの交流電源を受ける。充電器８１３はプラグ入力器８１２から交流電力を受けて、１００Ｖか２００Ｖか、またプラグ入力か急速充電かを判断し、それに応じて、所定の適切な直流電圧（直流電力）に変換する。充電器８１３から出力される直流電圧（直流電力）は接合ボード（Junction Board）８１４を経て高圧の組蓄電池８１１に供給される。なお、接合ボード８１４には高圧の組蓄電池８１１を構成する複数の蓄電池セルが同じような特性となるように均等化回路が入っている。高圧の組蓄電池８１１に蓄えられた高圧の直流電力は電気自動車９０１（図９）の電気系統の各種の装置のエネルギー源となる。
【００７４】
ＰＤＵ（Power Drive Unit）８１５は３相交流モータなどの走行用モータ８１６と高圧蓄電池８１１の間に備えられる。ＰＤＵ８１５は高圧の組蓄電池８１１から直流電力を得るとともに、この直流電力を三相の交流電力に変換して走行用モータ８１６を駆動する。また、ＰＤＵ８１５は、走行用モータ８１６の回生制動時において回収する回生電力を直流電力に変換して、高圧の組蓄電池８１１の充電を行う。ＰＤＵ８１５はこのように高圧蓄電池８１１からの電力の入出力を制御する。
また、高圧の組蓄電池８１１からはエアコン用のヒータやコンプレッサ等（不図示）の各種の負荷８１７に高圧の直流電力が供給される。
【００７５】
また、低電圧（概ね１２Ｖ）が必要な電気系統には降圧回路（実際にはＤＣ／ＤＣコンバータ）８１８を経て低電圧の直流電力を蓄電池ファン８１９（高圧蓄電池８１１の冷却用）、蓄電池ＥＣＵ（Electronic control Unit）８２１に供給している。また、１２Ｖ蓄電池８２０に降圧回路８１８の低電圧の直流電力を供給して、１２Ｖ蓄電池８２０を経てＥＣＵ関連負荷（モータＥＣＵ、Ａ／Ｃ（Air Conditioner）ＥＣＵ、統括ＥＣＵ等（不図示））８２２に安定した１２Ｖの低電圧の直流電力を供給している。なお、これらの１２Ｖ蓄電池８２０を経た装置は本願の発明とは直接には関係がないので、詳細な説明は省略する。
【００７６】
図９は図８において示した電気システムの各装置の主なものを電気自動車９０１のなかにどのように搭載配置され、かつ家庭用の電源から充電されるかの概要を示したものである。
電気自動車９０１の中央から後方部に高圧蓄電池８１１が備えられ、その周辺に充電器８１３、接合ボード８１４、プラグ入力器８１２、降圧回路８１８、および蓄電池ファン８１９が配置されている。また、電気自動車９０１の車体の前部には走行用モータ８１６とＰＤＵ８１５が配置されている。以上の各装置は図８で示した電気系統によって接続され、関連づけられている。
【００７７】
図９において、側壁９０４に設置された交流１００Ｖもしくは２００Ｖの家庭用電源９０３から引き出された電源プラグ９０２を、自動車９０１のプラグ入力器８１２に挿入して、電気的に接続し、充電するようすを示している。
【００７８】
以上、本発明の実施形態によれば、簡単な構成で相対的に容量劣化している蓄電池セル群を導きだすことができる。
このため、ＳＯＣのばらついている蓄電池セルによって、車両（電気自動車）で算出したＳＯＣで制限するよりも早く出力制限がかかりはじめることを防止できる。
また、蓄電池セル電圧均等化に要する消費電流（消費エネルギー）を抑制できる。
また、本発明により、容量バラツキ抑制による早め出力制限が防止され、ドライバビリティ（動力性能）、航続距離（電費向上）、寿命向上につながる。
また、相対的に容量劣化している蓄電池セル群に対して集中的な冷却などの対処ができるため、さらなる劣化の進行と拡大が防止でき、電気自動車を使用している間に各蓄電池セル間のバラツキが減少するという均等化の効果がある。
また、相対的にどこが劣化したかを知る方法であるので、過去の履歴を記憶する必要がなく、大容量のメモリは不要となる。
以上の様々な効果がある。
【００７９】
なお、本願の発明は、家庭用電源からのプラグイン充電の場合のみを対象としている。急速充電時や、前記した回生電力の回収時においても、高圧蓄電池８１１に充電する過程があるが、本願の発明の対象外である。
【００８０】
また、本願の発明は電気自動車を主眼としているが、ＰＨＥＶ車（Plug-in Hybrid Electric Vehicle）等のハイブリッド車、あるいは燃料電池自動車においても、蓄電池の容量バラツキ防止や、寿命向上の観点から有効な手法である。
また、自動車のみならず、船舶、航空機、鉄道車両等へも適用可能である。
【符号の説明】
【００８１】
４０  組蓄電池
４５  ダクト
４６Ａ、４６Ｂ、１０１１、１０１２、１０１３、１０１４、１０１５、１０１６、  蓄電池セル
４７  支持体
５１、５２、５３  エリア
５４１、５４２、５４３  温度計
６９Ａ、６９Ｂ  整流板
７９  スリット
８１１  高圧の組蓄電池（組蓄電池）
８１２  プラグ入力器
８１３、１００１  充電器、充電装置
８１４  接合ボード（電圧検出装置を含む）
８１５  ＰＤＵ
８１６  走行用モータ
８１７  負荷
８１８  降圧回路
８１９  蓄電池ファン（容量劣化抑制装置）
８２０  １２Ｖ蓄電池
８２１  蓄電池ＥＣＵ
８２２  ＥＣＵ関連負荷
９０１  電気自動車
９０２  電源プラグ
９０３  家庭用電源
９０４  側壁
１０２１、１０２２、１０２３、１０２４、１０２５、１０２６  電圧計、（電圧検出装置）
【図１】
2011095023.tif 000003
【図２】
2011095023.tif 000004
【図３】
2011095023.tif 000005
【図４】
2011095023.tif 000006
【図５】
2011095023.tif 000007
【図６】
2011095023.tif 000008
【図７】
2011095023.tif 000009
【図８】
2011095023.tif 000010
【図９】
2011095023.tif 000011
【図１０】
2011095023.tif 000012